(57)【要約】【課題】複数種の収納容器を選択的に取付可能にし、かつ普通の荷台としても使用することができる二輪車両用収納装置を提供する。【解決手段】、二輪車両の荷台４０に固定される取付ベース２と、該取付ベース２に着脱可能に取り付けられる収納容器３Ａとを組み合わせて構成するとともに、取付ベース２には収納容器３Ａ側に開口する取付溝２１ａを形成し、収納容器３Ａには当該取付溝２１ａに係合する取付ステー３１を形成して取付ベース２の取付溝２１ａに収納容器３Ａの取付ステー３１を係合させて、取付ベース２に収納容器３Ａを取り付けることができるようにする。【選択図】図１
2005145199.tif 000002
【特許請求の範囲】
【請求項１】
二輪車両のフレームに固定される取付ベースと、該取付ベースに着脱可能に取り付けられる収納容器とを組み合わせてなり、前記取付ベースには収納容器側に開口する取付溝が形成され、この取付溝に係合する取付ステーが前記収納容器に形成されていることを特徴とする二輪車両用収納装置。
【請求項２】
取付溝は収納容器側がその反対側よりも幅が狭い断面形状であり、かつ、取付ステーは取付ベース側がその反対側よりも幅が広い断面形状である請求項１に記載の二輪車両用収納装置。
【請求項３】
取付溝の一方の端部から取付ステーを挿入して両者を係合させる請求項１又は２に記載の二輪車両用収納装置。
【請求項４】
取付溝に取付ステーが係合する状態で、取付溝の端部から取付ステーが抜けるのを規制するストッパを設けた請求項３に記載の二輪車両用収納装置。
【発明の詳細な説明】
【技術分野】
【０００１】
この発明は、自転車、オートバイ等の二輪車両に設けられる二輪車両用収納装置に関する。
【背景技術】
【０００２】
自転車、オートバイ等の二輪車両の多くには、鋼材を格子状に組み合わせた荷台が設けられている。これに荷物を積載する場合、荷台の上に荷物を載置し、その荷物をゴム紐等で荷台に固定する。
【０００３】
二輪車両を日常の買い物や通勤、通学に利用する人にとっては、買い物品や鞄等は容れるためのカゴ型或いはボックス型の収納容器が二輪車両に設けられていると便利である。この種の収納容器を使用するたびにゴム紐等で荷台に固定するのは面倒であるので、予め収納容器をボルト等で荷台に取り付けておくことがある。また、特許文献１，２に記載されているように、ハンドルフレームの前側に収納容器（主にカゴ）が取り付けられることも多い。
【０００４】
上記収納容器は、ボルト等によって荷台やハンドルフレームに固定して取り付けられているので、簡単には着脱することができない。このため、大きい荷物や長い荷物の場合、収納容器がなければ荷台に積載できるのに、収納容器があるとそれが邪魔になって積載できないという不都合が生じる。
【０００５】
また、積載する荷物の種類によってカゴ型の収納容器が適している場合と、ボックス型の収納容器が適している場合とがある。さらに、それ以外の形態の収納容器、或いは収納容器に準ずる物品例えば幼児用椅子を取り付けたい場合もある。しかしながら、従来は一つの収納容器を取り付ければそのまま使用し続けなければならず、複数種の収納容器及び準収納容器を使い分けることができなかった。
【特許文献１】特開平９−３０４７１号公報
【特許文献２】特開平９−３９８６２号公報
【発明の開示】
【発明が解決しようとする課題】
【０００６】
本発明は、複数種の収納容器を選択的に取付可能で、かつ普通の荷台としても使用できる二輪車両用収納装置を提供することを課題としている。
【課題を解決するための手段】
【０００７】
上記課題に対し本発明は次の技術的手段を講じた。すなわち、本発明にかかる二輪車両用収納装置は、二輪車両のフレームに固定される取付ベースと、該取付ベースに着脱可能に取り付けられる収納容器とを組み合わせてなり、前記取付ベースには収納容器側に開口する取付溝が形成され、この取付溝に係合する取付ステーが前記収納容器に形成されていることを特徴としている。
【０００８】
取付ベースの取付溝に収納容器の取付ステーを係合させて、取付ベースに収納容器を取り付ける。取付溝に対応する取付ステーを備えた複数種の収納容器を設けておけば、収納する物品の種類やその場の状況に合わせて、取付ベースに取り付ける収納容器を複数種の中から選択することができる。収納容器を外した状態では、取付ベースを荷台代わりに使用することができる。
【０００９】
上記構成の収納装置において、取付溝は収納容器側がその反対側よりも幅が狭い断面形状であり、かつ、取付ステーは取付ベース側がその反対側よりも幅が広い断面形状であるようにすれば、取付状態で取付ベースから収納容器が外れないようにすることができる。
【００１０】
また、取付溝の一方の端部から取付ステーを挿入して両者を係合させるようにすると、取付溝の溝方向に収納容器を移動させるだけで、収納容器を容易に着脱させられる。
【００１１】
さらに、取付溝に取付ステーが係合する状態で、取付溝の端部から取付ステーが抜けるのを規制するストッパを設けると、収納容器が取付溝から抜けないようにすることができる。
【発明の効果】
【００１２】
本発明の二輪車両用収納装置は、二輪車両のフレームに固定される取付ベースと、該取付ベースに着脱可能に取り付けられる収納容器とを組み合わせたものであり、取付ベースの取付溝に収納容器の取付ステーを係合させることにより取付ベースに収納容器を簡単に取り付けることができるので、複数種の収納容器を選択して取り付けることが可能であるとともに、取付ベースに収納容器を取り付けずに、取付ベースを荷台として使用することも可能である。したがって、収納する物品の種類やその場の状況に合わせて使用することができる。
【発明を実施するための最良の形態】
【００１３】
以下、図面に基づき本発明の代表的な実施の形態について説明する。
【００１４】
図１乃至図６は自転車の後部に設けた荷台に装着される二輪車両用収納装置を表している。この収納装置１は、荷台に固定される取付ベース２と、該取付ベース２に着脱可能に取り付けられるカゴ型収納容器３Ａとからなっている。
【００１５】
取付ベース２は、平面視コ字形をした外枠２０の内側に、２本の縦桟２１，２１が互いに並列に前後方向に配置されている。縦桟２１，２１には、上方に開口する取付溝２１ａ，２１ａが形成されている。この取付溝２１ａは、開口部の両側が内側に張り出しており、収納容器３Ａを取り付ける側である上部の方が下部よりも幅が狭い断面形状をしている。また、取付溝２１ａの後端部は幅が広く形成され、後述する取付ステー３１を挿入しやすいようになっている。
【００１６】
外枠２０の右後端部には上下方向の支持軸２２が設けられ、その支持軸２２にストッパ２３の一端部が回動自在に支持されている。ストッパ２３の他端部には錠２４が取り付けられており、この錠２４を外枠２０の左後端部に設けた金具２５に引っ掛けて施錠することにより、ストッパ２３が外枠２０及び縦桟２１，２１の後端に接する状態で固定されるようになっている。
【００１７】
外枠２０の及び縦桟２１，２１の底面には、左右方向の補強板を兼ねる取付板２６，２６が前後２箇所に固定して設けられている。両取付板２６における外枠２０と縦桟２１との間隔部及び一対の縦桟２１，２１の間隔部に、上下に貫通するボルト挿通穴２７，…が形成されている。また、外枠２０の左右外面には、外側に突出して下向きに屈曲する紐掛け用のフック２８，…が前後２箇所ずつに固着されている。
【００１８】
収納容器３Ａは、外形が略直方体で上方が開口するカゴ３０の底面部に、前記取付溝２１ａ，２１ａに係合する取付ステー３１，３１を一体に取り付けてなる。取付ステー３１は、取付溝２１ａとは反対に、上部の方が下部よりも幅が狭い断面形状をしている。これにより、取付溝２１ａに取付ステー３１を係合させた状態で、両者が上下方向に外れないようになっている。
【００１９】
この収納装置１を自転車の荷台４０に装着するに際しては、ボルト挿通穴２７に上方から挿通したボルト４１とそれに螺着されるナット４２とにより、取付ベース２を荷台４０に固定する。そして、錠２４を外して、収納容器３Ａをストッパ２３を開放した状態の取付ベース２の後方に位置させ、該収納容器の取付ステー３１，３１が取付ベースの取付溝２１ａ，２１ａに挿入されるように収納容器３Ａを前方に押し込む。取付溝２１ａは後端部が幅広く形成されているので、取付ステー３１を挿入させやすい。しかる後、ストッパ２３を閉じて錠２４により施錠する。このように取り付けられた収納容器３Ａは、取付ステー３１，３１と取付溝２１ａ，２１ａとの係合により上方に外れず、かつストッパ２３により後方への逸脱が規制された状態で保持される。
【００２０】
図７は収納容器の異なる例を表している。この収納容器３Ｂは、フレキシブルな素材で成形された持ち手付きバスケット３２の底部に、前後方向の軸３３を支点にして半分に折りたたみ可能な底板３４が設けられ、その底板３４の下面にカゴ型収納容器３Ａのものと同様のステー３１，３１が取り付けられている。使用時には、同図（ａ）に示すように底板３４を展開した状態にして、取付ステー３１，３１を取付溝２１ａ，２１ａに係合させることにより、取付ベース２に収納容器３Ｂを取り付ける。使用しない時には、同図（ｂ）に示すようにバスケット３２を上下に押し潰し、さらに同図（ｃ）に示すように底板３４を半分に折りたたむことにより、コンパクトにすることができる。
【００２１】
また、上記のカゴ型収納容器３Ａやバスケット型収納容器３Ｂの他に、ボックス型収納容器３Ｃ（図８参照）や、収納容器に準ずるものとして幼児用椅子３Ｄ（図９参照）を別途用意しておいてもよい。いずれも、ボックス３５又は子供用椅子３６の底面部に取付溝２１ａ，２１ａに係合する取付ステー３１，３１が取り付けられており、カゴ型収納容器３Ａやバスケット型収納容器３Ｂと同じ方法で取付ベース２１に取り付けられる。
【００２２】
さらに、この収納装置１は、取付ベース２に収納容器３Ａ，３Ｂ，３Ｃ，３Ｄを取り付けず、普通の荷台と同様に使用することもできる。その場合、フック２８にゴム紐を引っ掛けて荷物を取付ベース２に固定することができる。この取付ベース２による荷台には、収納容器３Ａ，３Ｂ，３Ｃ，３Ｄに入らない大きな荷物や前後に長い荷物を積載できる。
【００２３】
以上、既設の荷台に装着される収納装置について示したが、荷台が付いていない二輪車両については、図１０に示す収納装置を使用するとよい。この収納装置１は、前記収納装置１と同様に外枠２０、縦桟２１，２１、ストッパ２３等で構成される取付ベース２を備え、該取付ベース２の下側に、先端側が前方に突出するＵ字形の前連結部材３７と、外枠２０よりも外側に突出する左右両端部が下向きに屈曲した後連結部材３８とが固着して設けられている。これら前後の連結部材３７，３８の先端部は平板状になっていて、その平板部にボルトを挿通するための通孔３７ａ，３７ａ，３８ａ，３８ａが形成されている。また、外枠２０の左右外面には、紐掛け用のフック２８が前後２箇所ずつに固着されている。
【００２４】
この収納装置１は、図１１に示すように、自転車の後輪支持フレーム４３に一体形成された連結板４４，４４に前連結部材３７の先端平板部をボルト４１及びナット４２で連結するとともに、後輪軸４５に下端を連結した連結ロッド４６，４６の上端に後連結部材３８の先端平板部をボルト４１及びナット４２で連結して、自転車のフレームに取付ベース２を固定する。そして、収納装置１の場合と同様に、取付ベース２に収納容器３Ａ（または３Ｂ，３Ｃ，３Ｄ）を取り付けることにより、収納装置１の装着が完了する。装着対象に合わせて前連結部材３７及び後連結部材３８の形状を変更することにより、フレーム構成が異なる自転車やオートバイにも収容装置１を装着することが可能である。
【００２５】
次に、図１２乃至図１４は自転車の前部に装着される二輪車両用収納装置を表している。この収納装置１は、自転車のハンドルポストフレーム４７に固定される取付ベース２と、該取付ベースに着脱可能に取り付けられるカゴ型の収納容器３とからなっている。取付ベース２には上下方向の取付溝２１ａ，２１ａが形成され、また収納容器３の背面部には取付溝２１ａ，２１ａに対応する取付ステー３１，３１が設けられ、取付溝２１ａ，２１ａに取付ステー３１，３１を上方から挿入して互いに係合させることにより、取付ベース２に収納容器３を取り付ける。そして、ストッパ２３にて収納容器３が上方に抜けないようにロックする。収納容器３に持ち手を取り付ければ、取付ベース２から外して買い物カゴとして使用できる。図示の収納容器はカゴ型であるが、バスケット型の収納容器、サイクリングバッグ型の収納容器としてもよい。
【００２６】
さらに、図１５乃至図１７はオートバイの後部側面に装着される二輪車両用収納装置を表している。この収納装置１は、オートバイの縦フレーム４８に固定される取付ベース２と、該取付ベースに着脱可能に取り付けられるサイドボックス又はサイドバッグ型の収納容器３とからなっている。取付ベース２には左右方向の取付溝２１ａ，２１ａが形成され、また収納容器３の裏面部には取付溝２１ａ，２１ａに対応する取付ステー３１，３１が設けられ、取付溝２１ａ，２１ａに取付ステー３１，３１を上方から挿入して互いに係合させることにより、取付ベース２に収納容器３を取り付ける。そして、ストッパ２３にて収納容器３が後方に抜けないようにロックする。
【産業上の利用可能性】
【００２７】
自転車、オートバイ等の二輪車両の各部に取り付けが可能になり、荷物の種類や大きさに応じた設置ができ、汎用性を高めた収納機能を発揮することができる。
【図面の簡単な説明】
【００２８】
【図１】二輪車両用収納装置の斜視図である。
【図２】取付ベースの平面図である。
【図３】Ｓ−Ｓ断面図である
【図４】カゴ型収納容器の背面図である。
【図５】カゴ型収納容器の側面図である。
【図６】図１に示す二輪車両用収納装置を自転車に装着した状態を示す斜視図である。
【図７】バスケット型収納装置の斜視図で、（ａ）〜（ｃ）はそれぞれ異なる状態を表している。
【図８】ボックス型収納装置の側面図である。
【図９】幼児用椅子型準収納装置の側面図である。
【図１０】荷台型二輪車両用収納装置の斜視図である。
【図１１】図１０に示す二輪車両用収納装置を自転車に装着した状態を示す斜視図である。
【図１２】異なる二輪車両用収納装置を自転車に装着した状態を示す正面図である。
【図１３】図１２に示す二輪車両用収納装置の取付ベースを自転車に装着した状態を示す正面図である。
【図１４】図１２に示す二輪車両用収納装置の収納容器の背面図である。
【図１５】さらに異なる二輪車両用収納装置をオートバイに装着した状態を示す側面図である。
【図１６】図１５に示す二輪車両用収納装置の取付ベースをオートバイに装着した状態を示す側面図である。
【図１７】図１５に示す二輪車両用収納装置の収納容器の裏面図である。
【符号の説明】
【００２９】
１  二輪車両用収納装置
２  取付ベース
３，３Ａ，３Ｂ，３Ｃ，３Ｄ  収納容器
２１ａ  取付溝
２３  ストッパ
２４  錠
３１  取付ステー
【図１】
2005145199.tif 000003
【図２】
2005145199.tif 000004
【図３】
2005145199.tif 000005
【図４】
2005145199.tif 000006
【図５】
2005145199.tif 000007
【図６】
2005145199.tif 000008
【図７】
2005145199.tif 000009
【図８】
2005145199.tif 000010
【図９】
2005145199.tif 000011
【図１０】
2005145199.tif 000012
【図１１】
2005145199.tif 000013
【図１２】
2005145199.tif 000014
【図１３】
2005145199.tif 000015
【図１４】
2005145199.tif 000016
【図１５】
2005145199.tif 000017
【図１６】
2005145199.tif 000018
【図１７】
2005145199.tif 000019